(57)【要約】【課題】  蓋の開閉時又は、閉蓋状態において、蓋裏が印鑑表面に当接しない為、印鑑表面と蓋裏の摩擦による傷、変形を確実に防止することができる印鑑収納ケースを提供すること。【解決するための手段】  上方を開口したケース本体と、前記ケース本体上を摺動し、前記開口を開閉する蓋と、前記ケース本体内に取り付けた弾性体により常に上方向へ付勢される印鑑ホルダーと、からなる印鑑収納ケースであって、前記蓋の開閉時、前記印鑑ホルダーに収納された印鑑より常に上方に位置するとともに、蓋裏に摺接する周縁部を前記印鑑ホルダーに設けたことを特徴とする印鑑収納ケースである。【選択図】図８
2018001538.tif 000002
【特許請求の範囲】
【請求項１】
上方を開口したケース本体と、
前記ケース本体上を摺動し、前記開口を開閉する蓋と、
前記ケース本体内に取り付けた弾性体により常に上方向へ付勢される印鑑ホルダーと、
からなる印鑑収納ケースであって、
前記蓋の開閉時、前記印鑑ホルダーに収納された印鑑より常に上方に位置するとともに、蓋裏に摺接する周縁部を前記印鑑ホルダーに設けたことを特徴とする印鑑収納ケース。
【請求項２】
前記周縁部が突起で形成されていることを特徴とする請求項１に記載の印鑑収納ケース。
【請求項３】
前記蓋裏の一部に衝撃吸収部を設け、前記衝撃吸収部は閉蓋状態で、前記印鑑ホルダーに収納された前記印鑑の上側に位置していることを特徴とする請求項１または請求項２に記載の印鑑収納ケース。
【発明の詳細な説明】
【技術分野】
【０００１】
本発明は、ケース本体内に、印鑑ホルダーを配置してなる印鑑収納ケースに関する。
【背景技術】
【０００２】
従来から、印鑑収納ケースとして、ケース本体と印鑑との間に設けた弾性体により、開蓋時、印鑑が起き上がり、ケース本体から印鑑を取り出しやすくしたものが知られている（例えば、特許文献１、２参照）。
【先行技術文献】
【特許文献】
【０００３】
【特許文献１】実公昭３４−１５００５号公報
【特許文献２】実開昭５９−１６２２７２号公報
【発明の概要】
【発明が解決しようとする課題】
【０００４】
しかしながら、特許文献１、２では、閉蓋時、印鑑は弾性体により蓋裏に強く当接し、印鑑が傷ついたり、変形する可能性がある。
特に、ケース本体上を摺動する蓋を使用する場合には、印鑑表面と蓋裏の摩擦による傷、変形が顕著となり、これらの不具合を防止する必要がある。 
本発明は、前記蓋の開閉時、印鑑より常に上方に位置するとともに、蓋裏に当接する周縁部を前記印鑑ホルダーに設けることで、蓋の開閉時又は、閉蓋状態において、蓋裏が印鑑表面に当接しない為、印鑑表面と蓋裏の摩擦による傷、変形を確実に防止することができる印鑑収納ケースを提供することを目的とするものである。
【課題を解決するための手段】
【０００５】
上記の課題を解決するために完成された第１の発明は、上方を開口したケース本体と、前記ケース本体上を摺動し、前記開口を開閉する蓋と、前記ケース本体内に取り付けた弾性体により常に上方向へ付勢される印鑑ホルダーと、からなる印鑑収納ケースであって、前記蓋の開閉時、前記印鑑ホルダーに収納された印鑑より常に上方に位置するとともに、蓋裏に摺接する周縁部を前記印鑑ホルダーに設けたことを特徴とする印鑑収納ケースである。
【０００６】
第２の発明は、前記周縁部が突起で形成されていることを特徴とする第１の発明に記載の印鑑収納ケースである。
【０００７】
第３の発明は、前記蓋裏の一部に衝撃吸収部を設け、前記衝撃吸収部は閉蓋状態で、前記印鑑ホルダーに収納された前記印鑑の上側に位置していることを特徴とする第１の発明または第２の発明に記載の印鑑収納ケースである。
【発明の効果】
【０００８】
第１の発明では、上方を開口したケース本体と、前記ケース本体上を摺動し、前記開口を開閉する蓋と、前記ケース本体に取り付けた弾性体により常に上方向へ付勢される印鑑ホルダーと、からなる印鑑収納ケースであって、前記印鑑ホルダーは、前記蓋の開閉時、前記印鑑ホルダーに収納された印鑑より常に上方に位置するとともに、蓋裏に当接する周縁部を有している為、蓋の開閉時、蓋裏が印鑑表面を擦ることがなく、印鑑表面が傷ついたり、変形することを確実に防止することできる。
【０００９】
第２の発明では、前記周縁部が突起で形成されている為、周縁部が、前記印鑑を側方から取り出す際に、障害となることがなく、更に、横から印鑑を目視で確認できる為、印鑑を取り出しやすい。
【００１０】
第３の発明では、前記蓋裏の一部が弾性部材で形成された衝撃吸収部を設け、前記衝撃吸収部は閉蓋状態で、前記印鑑ホルダーに収納された印鑑の上側に位置している為、印鑑収納ケースを持ち運ぶ際に、印鑑の上下振動による蓋裏への衝撃を緩和する事で、印鑑のガタつき音を緩和すると同時に、印鑑が傷ついたり、変形することを確実に防止することができる。
【図面の簡単な説明】
【００１１】
【図１】本発明の第１から第３の実施形態の閉蓋状態を示す斜視図である。
【図２】本発明の第１、第２の実施形態の開蓋状態を示す斜視図である。
【図３】本発明の第１から第３の実施形態の蓋を示す下方向からの斜視図である。
【図４】本発明の第１から第３の実施形態の閉蓋状態を示すＡ−Ａ断面図である。
【図５】本発明の第１から第３の実施形態の閉蓋状態を示すＢ−Ｂ断面図である。
【図６】本発明の第１から第３の実施形態の閉蓋状態を示すＣ−Ｃ断面図である。
【図７】本発明の第１、第２の実施形態の開蓋状態を示すＤ−Ｄ断面図である。
【図８】本発明の第１の実施形態の閉蓋動作を説明するためのフロー図である。
【図９】本発明の第１の実施形態の印鑑ホルダーを示す正面図である。
【図１０】本発明の第１から第３の実施形態の印鑑ホルダーを示す平面図である。
【図１１】本発明の第１から第３の実施形態の印鑑ホルダーを示す下方向からの斜視図である。
【図１２】本発明の第１から第３の実施形態の印鑑ホルダーを示すＥ−Ｅ断面図である。
【図１３】本発明の第１から第３の実施形態の印鑑ホルダーを示す右側面図である。
【発明を実施するための形態】
【００１２】
次に、本発明の第１の実施形態の印鑑収納ケースを図１〜図１３に基づいて説明する。
尚、本発明において「前方」「前端」とは、蓋を閉める時、蓋を摺動させる方向を指し、「後方」「後端」とは蓋を開ける時、蓋を摺動させる方向を指す。
また、前記した「前方」「前端」に向かって右側を「右」、左側を「左」とする。
ケース本体１は、四方を側縁で囲まれ、上方を開口した有底箱型であり、その内部には印鑑ホルダー４を配置する。前記印鑑ホルダー４には、印鑑５が収納される。前記印鑑５の形状は円筒型の丸型印や、角柱型の角型印等、既知の形状を使用できる。前記ケース本体１の内部には、前記印鑑ホルダー４の周囲に枠体１１を配置する。前記枠体１１は、前記印鑑ホルダー４の長辺から短辺に向かって垂直に曲折した略Ｌ字型を有する。前記枠体１１には、朱肉部６と印面ブラシ７と印紙収納部８と印紙濡らし部９が設けられている。
【００１３】
前記ケース本体１は、図２に示すように、左右の対向する両側縁頂部の後方から前端にかけてレール１ａが設けられている。前記レール１ａは、上方へ突き出した突起として形成されている。前記レール１ａの後端部には、内側（前記ケース本体１の内部方向）に向けて形成された嵌合溝１ｂが形成されている。前方の側縁は、前記枠体１１より上方、且つ、中央部に係合孔１ｃが設けられている。また、図７に示すように、前記印鑑ホルダー４が配置されている前記ケース本体内底面には弾性体固定部１ｄが設けられている。
【００１４】
前記蓋２は、図１、図３に示すように、ケース本体１の上方開口部を閉鎖するように、前記上方開口部と略同形状・略同寸法で成型されている。前記蓋２の裏面には、リブ２ｂ、嵌合突起２ｃ、係合突起２ｄが設けられている。前記リブ２ｂは、蓋裏の全周縁を、下方にやや突き出した縁部として形成されている。前記リブ２ｂのうち、前方縁部両端近傍には、前記レール１ａが通過できるように切欠２ｇを設ける。前記嵌合突起２ｃは、前記リブ２ｂの左右縁部の後方に設けられ、内側（前記ケース本体１の内部方向）に向けて突き出すように構成されている。前記係合突起２ｄは、前方縁部の中央から、前方へ突き出した鉤状の突起として形成されている。
【００１５】
前記印鑑ホルダー４は、図２、図９〜図１２に示すように、前記印鑑５を横向きに収納する収納部４ａが２つ設けられ、当該収納部４ａの形状は、前記印鑑５の長手方向の形状に対応する窪みを有する。前記印鑑ホルダー４は、前記ケース本体１内において、短辺が前方を向くように配置されている。また、前記印鑑ホルダー４は、前記ケース本体１内において、前記収納部４ａの後端が前記ケース本体１の後端側縁に対面し、且つ、前記収納部４ａの左端がケース本体１の左側縁に接するように配置されている。前記収納部４ａの左端側片に周縁部４ｂが設けられている。前記収納部４ａの後端は開放しており、前端には壁が形成されている。前記壁は、前方へ円弧状に窪んだ円弧状部４ｆを有する。前記収納部４ａ底面の中央付近から前端部にかけて、局所的に窪んだ凹陥部４ｇが設けられている。前記印鑑ホルダー４の裏面中央近傍には弾性体固定部４ｄが設けられている。また、前記印鑑ホルダー４の裏面前端には、突起が外側（前記ケース本体１の外部方向）に突き出すように構成された凸部４ｅが設けられている。前記凸部４ｅが前記枠体１１に設けられた孔１１ａに挿入され、前記印鑑ホルダー４は、前記凸部４ｅを支点として回動自在に取り付けられている。ここで、前記孔１１ａは、図４、図７に示すように、前記凸部４ｅに対応する前記枠体１１の下方位置に設けられている。
前記弾性体１０は、図７に示すように、前記ケース本体１と前記印鑑ホルダー４にそれぞれ設けた、前記弾性体固定部１ｄ、４ｄに両端が固定されている。
【００１６】
前記周縁部４ｂは、図９に示すように、前記印鑑ホルダー４の前記収納部４ａの左端側片に設けており、前記左端側片をそのまま上方向へ延長した形態を有している。その高さは、前記蓋２の開閉時、収納している前記印鑑５より、常に上方位置にある。例えば、図１３に示すように、前記印鑑ホルダー４の前記収納部４ａが丸型の場合、前記収納部４ａの底面から前記周縁部４ｂ頂点までの長さ（図中のＨ１及びＨ２）を、前記収納部４ａの直径（図中のＲ１及びＲ２）よりも長く設定（Ｈ１＞Ｒ１及びＨ２＞Ｒ２）すればよいし、前記収納部４ａが角型の場合（図示しない）、前記収納部４ａの底面から前記周縁部４ｂ頂点までの長さを、底辺よりも長く設定すればよい。当該設定とすれば、市場に流通する一般的な丸型印（円柱型）や角型印（正四角柱型）を前記収納部４ａに収納した場合、前記周縁部４ｂを前記印鑑５（丸型印や角型印）より常に上方に位置させることができる。
【００１７】
次に、本発明の第１の実施例の作用・効果について説明する。
本発明の印鑑収納ケースは蓋側を上にした状態で使用する。
前記ケース本体１の前記レール１ａの外側を、前記蓋２の前記リブ２ｂが当接しながら前記蓋２を摺動させることができる。その為、前記蓋２が左右にずれることなく、前記ケース本体１の開口部上を矢印Ｐ方向へ摺動させ、前記開口部を閉鎖することができる。閉蓋状態では、前記嵌合溝１ｂと前記嵌合突起２ｃ及び、前記係合孔１ｃと前記係合突起２ｄが嵌合する事により前記蓋２の摺動をロックし、前記蓋２が不用意に動くことがなく、持ち運びにも優れている。また、閉蓋状態では、蓋表面に形成された滑り止め２ａを指等で矢印Ｑ方向に力を加えると、前記ロックが解除される。前記蓋２を閉める時と逆方向に、前記ケース本体１の前記レール１ａの外側を、前記蓋２のリブ２ｂが当接しながら摺動させると、前記ケース本体１と前記蓋２を分離することができる。
【００１８】
前記印鑑ホルダー４は、前記弾性体固定部１ｄ、４ｄにより固定された前記弾性体１０の反発力により常に上方向に付勢されている。また、前記印鑑ホルダー４は、前記凸部４ｅを支点として回動自在になっている。閉蓋状態では、図４に示すように、蓋裏に前記印鑑ホルダー４の前記周縁部４ｂが当接することにより、前記印鑑ホルダー４の回動は阻止されている。開蓋状態では、図７に示すように、前記印鑑ホルダー４は、前記凸部４ｅを支点として回動し、前記印鑑ホルダー４の前端に設けられた前記壁の前方上部が前記枠体１１の側面に当接することにより、回動が止められ、前記ケース本体１の底部に対して、一定の角度を保ったまま起立する。このように構成することで、前記ケース本体１の側縁が障害になることなく、前記印鑑５を取り出しやすくする効果がある。前記収納部４ａに設けた前記円弧状部４ｆ及び、前記凹陥部４ｇは、前記印鑑５の印面を前方に向けて収納する際、前記収納部４ａと印面部との接触面積を減らすことにより、前記印鑑５の印面に付着したインキ等で前記収納部４ａが汚れることを防止する効果がある。
【００１９】
また、前記蓋２の開閉時、前記印鑑ホルダー４に収納された前記印鑑５より常に上方に位置するとともに、蓋裏に当接する前記周縁部４ｂを前記印鑑ホルダーに設けている為、蓋裏で前記印鑑５の表面を擦ることなく、前記蓋２の開閉ができ、前記印鑑５を傷付けたり、変形することを確実に防止することができる。
【００２０】
本発明の実施形態の閉蓋動作を、図８を用いて説明する。
前記弾性体１０の反発により前記印鑑ホルダー４が起立した状態（図８（ａ））から、指等で前記印鑑５（前記印鑑ホルダー４）を下方に押し込む。この状態のまま、蓋裏に前記周縁部４ｂを前記弾性体１０の反発力に抗しながら当接させ、前記蓋２を前記ケース本体１の開口部後方に設置する（図８（ｂ））。前記状態から前記蓋２を矢印Ｐ方向へ力を加えると、前記周縁部４ｂが蓋裏に当接したまま、前記蓋２を摺動することができる（図８（ｃ））。尚、前記蓋２を開ける際は、上記閉蓋時とは逆の動作を行えばよい。そして開蓋時も同様で、前記印鑑５の表面に蓋裏が擦れることはなく、前記印鑑５表面に傷が付いたり、変形することを確実に防止することができる。
【００２１】
ここで、前記ケース本体１に設けられた前記レール１ａは、前記ケース本体１の左右側縁の端から端まで設けてもよいし、部分的に設けてもよい。また、前記嵌合溝１ｂは、前記レール１ａ頂部の後端に限らず、前端、中央等、どこに設けてもよいし、左右側縁の端から端まで設けてもよい。前記係合孔１ｃは、前記枠体１１より上方に位置していれば、前記ケース本体１の前方側縁のどこに設けてもよい。前記弾性体固定部１ｄは前記印鑑ホルダー４が配置する底面であればどこに設けてもよい。
前記蓋２は、前記ケース本体１の上方開口部を覆うことができれば、形状、寸法は限定されない。前記リブ２ｂは、前記蓋２の左右縁部と前方縁部の端から端まで設けても良いし、部分的に設けても良い。前記嵌合突起２ｃは、前記リブ２ｂの左右縁部の後方に限らず、前方、中央等、どこに設けてもよいし、左右縁部の端から端まで設けてもよい。前記係合突起２ｄは、前方側縁のどこに設けてもよい。
前記印鑑ホルダー４の前記収納部４ａは、前記印鑑５の長手方向の形状と略同形状の窪みを有するのが好ましいが、前記窪みの形状は、三角形、四角形といった多角形等でもよく、形状は限定されない。また、前記収納部４ａは前記印鑑５をホールドする形状であってもよい。前記収納部４ａは１つでも複数設けてもよい。
前記印鑑ホルダー４は、前記ケース本体１内において、どこに配置されていてもよい。前記円弧状部４ｆは、後方へ円弧状に張り出していてもよいし、形状も印面との接触面積が減らすことができる形状であれば円弧状に限定されない。凹陥部４ｇも前記円弧状部４ｆと同様、前記収納部４ａの底面から凸状に張り出すように形成されていてもよい。前記弾性体固定部４ｄは、前記印鑑ホルダー４のどこに設けてもよい。
前記印鑑ホルダー４の前記凸部４ｅは、前記印鑑ホルダー４の後端、左右端等、前記印鑑ホルダー４底面の四方いずれに設けてもよい。また、前記印鑑ホルダー４の前記凸部４ｅは設けず、前記弾性体１０の反発力により、前記印鑑ホルダー４が真上に押し上げられるように構成してもよい。この場合、前記弾性体１０の反発力と、前記印鑑ホルダー４と前記印鑑５の重力が釣り合う位置まで前記印鑑ホルダー４は押し上げられる。
前記弾性体１０はケース本体１、印鑑ホルダー４のどちらか一方に固定されていてもよい。また、前記弾性体１０は、バネ体、ゴム体、その他弾性を有するものであれば特に限定されない。
【００２２】
前記印鑑ホルダー４の前記周縁部４ｂは、前記収納部４ａの各側片のどこに設けてもよいし、複数形成してもよい。
【００２３】
次に、本発明の第２の実施形態の印鑑収納ケースを図２に基づいて説明する。ここでは、前記した第１の実施形態と異なる点のみを説明する。
本実施の形態では、図２に示すように、前記印鑑ホルダー４の前記周縁部４ｂが突起４ｃで形成されており、前記収納部４ａの側片の一部分が上方に盛り上がるように構成されている。
【００２４】
次に、本発明の第２の実施例の作用・効果について説明する。ここでは、前記した第１の実施形態と異なる点のみを説明する。
前記印鑑ホルダー４の前記周縁部４ｂが前記突起４ｃで形成されることで、前記印鑑ホルダー４が起立した状態において、前記周縁部４ｂが、前記印鑑５を側方から取り出す際に、障害となることがなく、更に、横から前記印鑑５を目視で確認できる為、前記印鑑５を取り出しやすい効果がある。
【００２５】
尚、前記印鑑ホルダー４の前記突起４ｃは各側片のどこに設けてもよいし、同一側片に複数形成してもよい。しかしながら、設ける位置について、前記蓋２を前記ケース本体１に設置する際（図８（ｂ））、前記突起４ｃより先に前記印鑑５が蓋裏に当接しないように、前記突起４ｃは、前記印鑑ホルダー４の後方もしくは、後端に設定した方が好ましい。
【００２６】
次に、本発明の第３の実施形態の印鑑収納ケースを図３、図６に基づいて説明する。ここでは、前記した第１、２の実施形態と異なる点のみを説明する。
図３、図６に示すように、前記蓋２の裏面には、前方、後方にそれぞれ、エラストマーで成型された衝撃吸収部３ａが配置されている。前記衝撃吸収部３ａは、閉蓋状態において、前記印鑑ホルダー４に収納された前記印鑑５の上側に位置している。
【００２７】
次に、本発明の第３の実施例の作用・効果について説明する。ここでは、前記した第１、２の実施形態と異なる点のみを説明する。
前記衝撃吸収部３ａは、閉蓋状態では前記印鑑ホルダー４に収納された前記印鑑５の上側に位置している為、持ち運び時等の前記印鑑５の上下揺動による蓋裏への前記印鑑５の衝撃及び衝撃による印鑑のガタつき音を緩和する効果がある。
【００２８】
次に、本発明の第３の実施例の好ましい形態について説明する。
前記蓋２の表面には、図３、図６に示すように、表面よりやや窪んだ凹部２ｅを形成している。前記凹部２ｅは、前記蓋２と略同形状で、寸法は一回り小さい。前記凹部２ｅの底面には、前方、後方にそれぞれ、嵌合孔２ｆを形成している。前記凹部２ｅに、弾性部材３を設けている。
前記弾性部材３は、扁平且つ、前記凹部２ｅと略同形状である。前記弾性部材３の底面には、前記弾性部材３と一体成型された突起状の衝撃吸収部３ａを設けている。前記衝撃吸収部３ａは、前記凹部２ｅの前記篏合孔２ｆに嵌合すると同時に、前記嵌合孔２ｆから前記衝撃吸収部３ａの先端部が蓋裏へ突き出るように構成されている。
【００２９】
次に、本発明の第３の実施例の好ましい形態の作用・効果について説明する。
前記弾性部材３は、前記蓋２を前記ケース本体１から取外し、捺印用のマットとして使用することができる。前記蓋２を前記ケース本体１から着脱自在に嵌合するように構成したのは、この理由からである。
また、前記衝撃吸収部３ａは、前記弾性部材３を捺印用マットとして使用する際の滑り止めとしての効果がある。それと同時に、前記衝撃吸収部３ａは、閉蓋状態では前記印鑑ホルダー４に収納された前記印鑑５の上側に位置している為、前記印鑑５の上下揺動による蓋裏への前記印鑑５の衝撃及び衝撃による前記印鑑５のガタつき音を緩和する効果がある。
【００３０】
前記蓋２の前記凹部２ｅは、形状、寸法共に限定されない。嵌合孔２ｆは、閉蓋状態で前記印鑑５の上側に位置するのであれば、前記凹部２ｅ上のどこに設けてもよい。
前記弾性部材３の底面に設ける前記衝撃吸収部３ａは、前記嵌合孔２ｆの位置に対応する位置に設ければよい。
また、前記弾性部材３はエラストマー製である。ここでエラストマーとは、常温付近でゴム状弾性を有するものの総称で、架橋した天然ゴム、スチレンーブタジエン共重合体・アクリロニトリルーブタジエン共重合体・クロロプレンゴム・シリコーンゴム・エチレンープロピレンージエンゴム等の合成ゴムのほか、ポリエチレン・ポリイソブチレン等の熱可塑性ポリオレフィン（ＴＰＯ）、熱可塑性ポリウレタン（ＴＰＵ）、熱可塑性ポリスチレン（ＳＢＳ）、アクリル系熱可塑性樹脂等を採用可能である。
前記衝撃吸収部３ａは、弾性部材３と一体成型せずに、別体として蓋裏に設けてもよく、設ける位置は、蓋裏の前記印鑑５の上側に位置していれば、どこに設けてもよい。
【００３１】
以上の通り、本発明の印鑑収納ケースでは、印鑑ホルダーに前記蓋の開閉時、前記印鑑ホルダーに収納された印鑑より常に上方に位置するとともに、蓋裏に当接する周縁部を設けることで、蓋の開閉時、蓋裏が印鑑表面を擦ることがなく、印鑑表面が傷ついたり、変形することを確実に防止することができる。
また、前記周縁部が突起で形成されている為、周縁部が、前記印鑑を側方から取り出す際に、障害となることがなく、更に、横から印鑑を目視で確認できる為、印鑑を取り出しやすい。
更に、前記蓋裏の一部が弾性部材で形成された衝撃吸収部を設けることで、印鑑収納ケースを持ち運ぶ際に、印鑑の上下振動による蓋裏への衝撃を緩和する事で、印鑑のガタつき音を緩和すると同時に、印鑑が傷ついたり、変形することを確実に防止することができる。  
【００３２】
以上、本発明に係る印鑑収納ケースの好ましい実施形態を説明したが、本発明の技術的思想は、ここで説明された実施形態に限定して解釈されるべきではない。当業者は、本発明の要旨又は技術思想から逸脱しない範囲で、この実施形態を適宜、変更又は改良を加えることができる。そのような変更又は改良を伴う印鑑収納ケース及び関連する周辺技術は、本発明の技術的範囲に包含されるものとして理解されなければならない。
【符号の説明】
【００３３】
１  ケース本体
１ａ  レール
１ｂ  嵌合溝
１ｃ  係合孔
１ｄ  弾性体固定部
２  蓋
２ａ  滑り止め
２ｂ  リブ
２ｃ  嵌合突起
２ｄ  係合突起
２ｅ  凹部
２ｆ  嵌合孔
２ｇ  切欠
３  弾性部材
３ａ  衝撃吸収部
４  印鑑ホルダー
４ａ  収納部
４ｂ  周縁部
４ｃ  突起  
４ｄ  弾性体固定部
４ｅ  凸部
４ｆ  円弧状部
４ｇ  凹陥部
５  印鑑
６  朱肉部
７  印面ブラシ
８  印紙収納部
９  印紙濡らし部
１０  弾性体
１１  枠体
１１ａ  孔
【図１】
2018001538.tif 000003
【図２】
2018001538.tif 000004
【図３】
2018001538.tif 000005
【図４】
2018001538.tif 000006
【図５】
2018001538.tif 000007
【図６】
2018001538.tif 000008
【図７】
2018001538.tif 000009
【図８】
2018001538.tif 000010
【図９】
2018001538.tif 000011
【図１０】
2018001538.tif 000012
【図１１】
2018001538.tif 000013
【図１２】
2018001538.tif 000014
【図１３】
2018001538.tif 000015